(57)【要約】【課題】円盤状の錠剤の表面と裏面及び外周面を目視で効率よく検査する装置を提供する。【解決手段】円盤状錠剤の検査装置１は、円盤状錠剤の供給部１００と検査部２００を備える。供給部１００は、ホッパー１２０を有し、錠剤を間欠的に整列搬送部材１４０へ送り出す。錠剤は、一方の面を上にして第１の検査部材２５０へ移送され、振動発生装置２１０の振動を受けて下流に流れる。その間に錠剤の一方の面が検査される。第２の検査部材２６０に入ると、錠剤は起立し、外周面で転動する。その間に外周面が検査される。第３の検査部材２７０では、錠剤は、他方の面を上に向けて倒され、他方の面が検査される。【選択図】        図１
2004243002.tif 000002
【特許請求の範囲】
【請求項１】
振動発生装置の上方にホッパーを有する円盤状錠剤の供給部と、供給された円盤状錠剤を受ける円盤状錠剤の検査部を備え、
円盤状錠剤の検査部は、振動発生装置の上部に配設される円盤状錠剤の一方の面を検査する第１の検査部材と、円盤状錠剤の外周面を検査する第２の検査部材と、円盤状錠剤の他方の面を検査する第３の検査部材を備える円盤状錠剤の検査装置。
【請求項２】
第１及び第３の検査部材は、円盤状錠剤を平坦な状態で案内する角溝を有する請求項１記載の円盤状錠剤の検査装置。
【請求項３】
第２の検査部材は、第１の検査部材から送られてくる円盤状錠剤を平坦な状態から起立させる入口溝と、起立した円盤状錠剤を転動させて案内する案内溝と、円盤状錠剤を他方の面が上向きとなる平坦な状態に倒して第３の検査部材に送る出口溝を有する請求項１記載の円盤状錠剤の検査装置。
【請求項４】
第２の検査部材の案内溝は少なくとも円盤状錠剤の外周面の長さ寸法より大なる長さ寸法を有する請求項３記載の円盤状錠剤の検査装置。
【請求項５】
円盤状錠剤の送り出し装置は、ホッパーとホッパーから送り出される錠剤を受ける流量調整装置を備え、流量調整装置は、樋溝を有するトラフ状の部材であって、ピンにより揺動自在に支持され、ホッパー内の円盤状錠剤が定量以上ある間は、ホッパーから離れる方向に回動し、ホッパー内の円盤状錠剤が定量以下となると、ホッパーに近づく方向に回動する円盤状錠剤の送り出し装置。
【発明の詳細な説明】
【０００１】
【発明の属する技術分野】
本発明は、円盤状の錠剤を連続して検査する装置に関する。
【０００２】
【従来の技術】
例えば、下記の特許文献は、円盤状の錠剤を連続して送りながら、錠剤の表面と裏面を同視により検査する装置を開示している。
【０００３】
【特許文献１】
特開２００１−９５８９８号公報
【０００４】
【発明が解決しようとする課題】
最近では、円盤状の錠剤の外周面にも記号等の情報を刻印するものもある。
本発明は、円盤状の錠剤の表面及び表面だけでなく、外周面の検査を行うことができる装置を提供するものである。
【０００５】
【課題を解決するための手段】
本発明の円盤状錠剤の検査装置は、基本的な手段として、振動発生装置の上方にホッパーを有する円盤状錠剤の供給部と、供給された円盤状錠剤を受ける円盤状錠剤の検査部を備え、円盤状錠剤の検査部は、振動発生装置の上部に配設される円盤状錠剤の一方の面を検査する第１の検査部材と、円盤状錠剤の外周面を検査する第２の検査部材と、円盤状錠剤の他方の面を検査する第３の検査部材を備える。そして、第１及び第３の検査部材は、円盤状錠剤を平坦な状態で案内する角溝を有し、第２の検査部材は、第１の検査部材から送られてくる円盤状錠剤を平坦な状態から起立させる入口溝と、起立した円盤状錠剤を転動させて案内する案内溝と、円盤状錠剤を他方の面が上向きとなる平坦な状態に倒して第３の検査部材に送る出口溝を有するものである。また、第２の検査部材の案内溝は少なくとも円盤状錠剤の外周面の長さ寸法より大なる長さ寸法を有するものである。
【０００６】
【発明の実施の形態】
図１は、本発明の円盤状錠剤の検査装置の外観を示す三面図である。
全体を符号１で示す円盤状錠剤検査装置は、フレーム１０とフレーム１０の上部に装備される円盤状錠剤の供給部１００と、円盤状錠剤の検査部２００を備える。
円盤状錠剤の検査部２００を通った円盤状錠剤はシュート２０から次工程へ送られる。
【０００７】
図２は、円盤状錠剤検査装置の主要部を示す。円盤状錠剤の供給部１００は、振動発生装置１１０と振動発生装置１１０の上部に装備される円盤状錠剤のホッパー１２０、ホッパー１２０から落下する円盤状錠剤を一定量で送り出す流量調整装置１３０と、送り出された円盤状錠剤を整列搬送する円盤状錠剤の整列搬送部材１４０を備える。
円盤状錠剤の検査部２００は、２台の振動発生装置２１０，２１２と振動発生装置２１０，２１２の上部にとりつけられる振動部材２２０を備える。
【０００８】
図３は、検査搬送部材の平面形状を示し、検査搬送部材は、３個の検査搬送部材２５０，２６０，２７０で構成される。
【０００９】
図４は、円盤状錠剤の供給部１００の詳細を示し、円盤状錠剤のホッパー１２０の下方に配設される円盤状錠剤の流量調整装置１３０はトラフ状部材であって、中心Ｃ１にとりつけられるピンにより揺動自在に支持される。
流量調整装置１３０は、円盤状錠剤を受け入れる半円弧状の樋溝１３２を有し、中心Ｃ１の位置は、円盤状錠剤が乗せられない状態では、矢印Ａ方向に揺動する位置に選択される。
ホッパー１２０から、円盤状錠剤が落下すると、その重力により流量調整装置１３０は、矢印Ｂ方向に回動する。
【００１０】
円盤状錠剤の供給部１００は、図１に示すように、下流側に向けて下向きに配置される。そこで、ホッパー１２０から円盤状錠剤の供給を受けて流量調整装置１３０は、振動発生装置１１０の振動を受けて、樋溝１３２に乗った円盤状錠剤を整列搬送部材１４０に向けて送り出す。
ホッパー内の円盤状錠剤量が一定量ある間は、流量調整装置はＢ方向へ回動したままであるが、ホッパー内残量が少なくなった場合、その自重により再びＡ方向に回動し、ホッパー内の残量が少なくなっても定速で送り出す。
振動機の特徴として、振動機上の流動体（実施例の場合  錠剤）をためておく、ホッパーから振動機上のトラフ等に供給される際、供給部分での流動体にかかる重量は、ホッパー内の残量に大きく影響し、残量が多ければ、供給部分での荷重は大きく、少なければ荷重は少なくなる。
そのため、ホッパー内の残量が多いとき程、流動体の進む速度は速くなり、残量が少なければ遅くなってしまう。
まして、ホッパー内が空になって、トラフ上に少々残っている程度の時などは、振動機の強弱ボリュームを強くせざるをえない程進まないのが現状で、振動機を用いた機器は必ずこの様な症状が現れる。
それを解決するために、ホッパー内残量に応じてトラフの傾斜角を変化させてある程度一定の速度での送りを可能にし、又、最後の１粒まで出しきれる（強弱調整なしで）機構として残量が多い時は登り勾配にして進む速度を遅くし、少なくなった時に下り勾配にして速くする。
【００１１】
図５は、整列搬送部材１４０の詳細を示す。
板状の整列搬送部材１４０は、平行に形成される半円弧状の樋溝１４２を有する。本実施例にあっては、６本の樋溝１４２が形成される半円弧状の樋溝１４２の中心部には、角溝１４４が設けられる。この角溝１４４は、検査対象の円盤状錠剤が平坦な姿勢で摺動する寸法を有する。
ホッパー側から送られてくる円盤状錠剤は、この角溝１４４内に連続して整列し、検査部へ向けて送り出される。
【００１２】
図６は、第１の検査部材２５０の詳細を示す。
板状の第１の検査部材２５０は、平行して配設される７本の突部２５２を有し、７本の突部２５２は、平行して配設される６本の角溝２５４を形成する。
この角溝２５４は、検査対象の円盤状錠剤を平坦名姿勢で受け入れる寸法を有する。
【００１３】
第１の検査部材２５０の角溝２５４に乗った円盤状錠剤は、その一方の平坦面を上に向けた状態で下流側へ連続して送られる。その間に、目視によって、円盤状錠剤の一方の面の検査が行われる。
一方の平坦面の検査が完了した円盤状錠剤は、図７に示す第２の検査部材２６０へ送られる。この第２の検査部材２６０は、長手方向の中央部に６本の角溝２６４を有する。
【００１４】
この角溝２６４は、円盤状錠剤が外周面に沿って転動するサイズに設定される。
この円盤状錠剤を転動案内する角溝２６４の上流側の入口部には、角溝２６４と断面形状が近似する入口部角溝２６３と第１の検査部材２５０から送り出される円盤状錠剤を平坦状態で受け入れる案内溝２６２を有する。
この案内溝２６２は、入口部２６２ａから終端部２６２ｂに向けて幅寸法が減ずるように形成されている。
【００１５】
そこで、平坦状態で送られてきた円盤状錠剤は、この案内溝２６２を通過する間に、外周面が入口溝２６３に接する状態に起立し、転動案内溝２６４に送り出される。円盤状錠剤は、この案内溝２６４を転動して移動する間に、外周面の検査が行われる。
したがって、この案内溝の長さ寸法Ｌ１は、検査対象の円盤状錠剤が少なくとも１回転以上転動する寸法を備えるものである。必要に応じて、寸法Ｌ１は、円盤状錠剤の外周面の長さ寸法の２倍以上長の長さ寸法とすることができる。
【００１６】
第２の検査部材２６０の下流端側には、円盤状錠剤の出口溝２６５と平坦案内溝２６６が設けられる。この出口溝２６５は転動案内溝２６４に連続して形成されるが、溝の断面形状は、転動してきた円盤状錠剤を再び平面が下方になるように倒す形状に形成されている。
円盤状錠剤を倒す向きは、第１の検査部材２５０上側に出た一方の面とは反対側の他方の面が上向きとなる方向に設定される。
他方の面が上向きに倒された円盤状錠剤は、平坦溝２６６で案内されて、第３の検査部材２７０に送り出される。
【００１７】
第３の検査部材２７０は、図６で説明した第１の検査部材２５０と同一の構造を有する。第３の検査部材２７０では、円盤状錠剤は、第１の検査部材のときとは反対側の面を上に向けて流れる。
そこで、この第３の検査部材上で円盤状錠剤の他方の面を検査する。
表面、裏面と外周面の検査が完了した円盤状錠剤は、シュート２０から次工程へ送り出される。
【００１８】
【発明の効果】
本発明の検査装置は以上のように、円盤状錠剤の表面及び裏面と、外周面を検査することができる。
また、振動発生装置の使用台数も少なくてすみ、簡素な装置を得ることができる。
【図面の簡単な説明】
【図１】本発明の円盤状錠剤の検査装置の三面図
【図２】本発明の円盤状錠剤の主要部の詳細図
【図３】本発明の円盤状錠剤の検査搬送部材の平面図
【図４】本発明の円盤状錠剤の供給部の詳細図
【図５】本発明の円盤状錠剤の整列装置を示す図
【図６】本発明の円盤状錠剤の第１の検査部材を示す図
【図７】本発明の円盤状錠剤の第２の検査部材を示す図
【符号の説明】
１  円盤状錠剤の検査装置
１０  フレーム
２０  シュート
１００  円盤状錠剤の供給部
１１０  新堂発生装置
１２０  ホッパー
１３０  流量調整装置
１４０  整列搬送部材
２５０  第１の検査部材
２６０  第２の検査部材
２７０  第３の検査部材
【図１】
2004243002.tif 000003
【図２】
2004243002.tif 000004
【図３】
2004243002.tif 000005
【図４】
2004243002.tif 000006
【図５】
2004243002.tif 000007
【図６】
2004243002.tif 000008
【図７】
2004243002.tif 000009